(57)【要約】      （修正有）【課題】ポスト自体を取り替えなくても、デザインパネルのデザインシートを交換するだけで、最も目立つ部分であるポスト前面のデザインをユーザーの好みに応じて自由に交換、変化することができるポスト用のデザインパネルを提供する。【解決手段】ポストの前面に見合った形状及び寸法の、金属製の台板１と透明素材製の表面板３の間に、ユーザーが任意に選んだ写真、印刷物、若しくは、手書き文字・絵画等のデザインシート２を交換自在に介在してなる３層構造のポスト用のデザインパネルＡであり、台板１をポスト５の前面板６に着脱自在に取付けて、ポスト５の前面を、透明な表面板３を透過して見えるデザインシート２の写真、印刷物、若しくは、手書き文字・絵画等でデザインするように備えると共にデザインシート２を交換自在に備える。【選択図】図４
0003200444.tif 000002
【実用新案登録請求の範囲】
【請求項１】
ポストの前面に見合った形状及び寸法の、金属製の台板と透明素材製の表面板の間に、ユーザーが任意に選んだ写真、印刷物、若しくは、手書き文字・絵画等のデザインシートを交換自在に介在してなる３層構造のポスト用のデザインパネルであり、
該デザインパネルの台板を、ポストの前面板に着脱自在に取付けて、ポストの前面を、透明な表面板を透過して見えるデザインシートの写真、印刷物、若しくは、手書き文字・絵画等でデザインするように備えると共に、該デザインパネルを交換自在に備えたことを特徴とする、ポスト用のデザインパネル。
【請求項２】
デザインパネルの台板はステンレスその他の金属板で設けると共に、ポストの前面板に直接に、若しくは、適宜の取付具を介して、着脱自在に取付けるように備え、
表面板はアクリル樹脂板その他の透明素材製の板で設け、
デザインシートは、ユーザーが任意に選んだ写真、印刷物、若しくは、手書き文字・絵画等を、シート状若しくはカード状に設けると共に、屋外において雨水に耐久するように、防水性素材で設けるか、若しくは、ラミネート加工等で防水性に備え、
前記の台板、デザインシート、表面板を３層構造としたものを、ボルト・ねじで一体的に結着すると共に、該ボルト・ねじを外してデザインシートを交換し得るように備えたことを特徴とする、
請求項１に記載したポスト用のデザインパネル。
【考案の詳細な説明】
【技術分野】
【０００１】本考案は、従来から広く一般的に使用されている函状の郵便受け・新聞受け用のポスト、レターボックス等（以下、ポストと記す。）において、該ポストの前面に着脱自在に取付けるデザインパネルに係り、該デザインパネルは、ポストの前面（形状）に見合った形状及び寸法の、金属製の台板と透明素材製の表面板の間に、ユーザーが任意に選んだ写真、印刷物、若しくは、手書き文字・絵画等のデザインシートを介在して３層構造としたものを、ボルト・ねじで一体的に結着すると共に、該ボルト・ねじを外してデザインシートを交換し得るように備えたものであり、
該デザインパネルの台板を、ポストの前面板に着脱自在に取付けて、ポストの前面を、透明な表面板を透過して見えるデザインパネルの写真、印刷物、若しくは、手書き文字・絵画等でデザインするように備えると共に、該デザインシートを交換自在に備えたことを特徴とするものである。
【背景技術】
【０００２】従来、ポスト（函状の郵便受け・新聞受け用のポスト、レターボックス等）は、極めて広く一般的に使用されており、その構造、形状、色彩等も極めて多様なものが提供されている。【０００３】一方、前記従来のポストは、一旦購入設置すると、古くなり、或は、破損したり、汚れたりして、ポストそのものを買換え・交換するまでは、当然な事ながら、デザイン的には購入したままの状態で変化が無いため、マンネリ化して新鮮さを失い、飽きが来易く、また、趣向・面白味に欠ける課題があった。
【先行技術文献】
【特許文献】
【０００４】
【登録実用新案文献１】
実登第３１８６９４８号公報
【登録実用新案文献２】
実登第３１７８２９９号公報
【考案の概要】
【考案が解決しようとする課題】
【０００５】そこで、本考案は、ポスト自体を取り替えなくても、デザインパネルのデザインシートを交換するだけで、最も目立つ部分であるポスト前面のデザインをユーザーの好みに応じて自由に交換、変化することができるので、ポスト前面のみならずポスト全体としての外観、雰囲気を変化でき、もって、同じポストを何時までも、趣向変化に富み、新鮮な感覚を失うことなく、楽しく使用し得るようにして、従来の課題を解決したものである。
【課題を解決するための手段】
【０００６】請求項１の考案は、ポストの前面に見合った形状及び寸法の、金属製の台板と透明素材製の表面板の間に、ユーザーが任意に選んだ写真、印刷物、若しくは、手書き文字・絵画等のデザインシートを交換自在に介在してなる３層構造のポスト用のデザインパネルであり、該デザインパネルの台板を、ポストの前面板に着脱自在に取付けて、ポストの前面を、透明な表面板を透過して見えるデザインシートの写真、印刷物、若しくは、手書き文字・絵画等でデザインするように備えると共に、該デザインシートを交換自在に備えたことを特徴とする、ポスト用のデザインパネルによって課題を解決したものである。【０００７】請求項２の考案は、デザインパネルの台板はステンレスその他の金属板で設けると共に、ポストの前面板に直接に、若しくは、適宜の取付具を介して、着脱自在に取付けるように備え、表面板はアクリル樹脂板その他の透明素材製の板で設け、デザインシートは、ユーザーが任意に選んだ写真、印刷物、若しくは、手書き文字・絵画等を、シート状若しくはカード状に設けると共に、屋外において雨水に耐久するように、防水性素材で設けるか、若しくは、ラミネート加工等で防水性に備え、
前記の台板、デザインシート、表面板を３層構造としたものを、ボルト・ねじで一体的に結着すると共に、該ボルト・ねじを外してデザインシートを交換し得るように備えたことを特徴とする、請求項１に記載したポスト用のデザインパネルによって課題を解決したものである。
【考案の効果】
【０００８】本考案は、ポスト自体を取り替えしなくても、デザインパネルのデザインシートを交換するだけで、最も目立つ部分であるポスト前面のデザインをユーザーの好みに応じて自由に交換、変化することができ、それによって、ポスト前面のみならずポスト全体としての外観、雰囲気を変化でき、もって、同じポストを何時までも、趣向変化に富み、新鮮な感覚を失うことなく、楽しく使用し得る、従来に無い極めて優れた効果がある。
【図面の簡単な説明】
【０００９】
【図１】本考案デザインパネルの実施例の正面図である。
【図２】図１の平面図である。
【図３】図１の右側面図である。
【図４】図５の一部拡大一部断面図である。
【図５】本考案実施例デザインパネルを従来例ポストの前面に取付けた状態の正面図である。
【図６】図５の平面図である。
【図７】図５の右側面図である。
【考案を実施するための形態】
【００１０】ポストの前面に見合った形状及び寸法の、金属製の台板と透明素材製の表面板の間に、ユーザーが任意に選んだ写真、印刷物、若しくは、手書き文字・絵画等のデザインシートを交換自在に介在してなる３層構造のポスト用のデザインパネルを設け、
該デザインパネルの台板を、ポストの前面板に着脱自在に取付けて、ポストの前面を、透明な表面板を透過して見えるデザインシートの写真、印刷物、若しくは、手書き文字・絵画等でデザインするように備えると共に、該デザインシートを交換自在に備えて実現した。
【実施例１】
【００１１】図１は本考案デザインパネルの実施例の正面図、図２は図１の平面図、図３は図１の右側面図、図４は図５の一部拡大一部断面図、図５は本考案実施例デザインパネルを従来例ポストの前面に取付けた状態の正面図、図６は図５の平面図、図７は図５の右側面図である。【００１２】符号、Ａは実施例１のデザインパネル、１は台板、２はデザインシート、３は表面板、４はボルト・ねじ、５は従来例ポスト、６は前面板、７はねじ、８は取付具、９は開閉蓋である。【００１３】本考案実施例１は、ポスト５の前面に見合った形状及び寸法の、金属製の台板１と透明素材製の表面板３の間に、ユーザーが任意に選んだ写真、印刷物、若しくは、手書き文字・絵画等のデザインシート２を交換自在に介在してなる３層構造のポスト用のデザインパネルＡであり、【００１４】デザインパネルＡの台板１はステンレスその他の金属板で設けると共に、ポスト５の前面板６に直接に、若しくは、適宜の取付具８を介して、ねじ７等で着脱自在に取付けるように備え、
表面板３はアクリル樹脂板その他の透明素材製の板で設け、
デザインシート２は、ユーザーが任意に選んだ写真、印刷物、若しくは、手書き文字・絵画等を、シート状若しくはカード状に設けると共に、屋外において雨水に耐久するように、防水性素材で設けるか、若しくは、ラミネート加工等で防水性に備え、【００１５】前記の台板１、デザインシート２、表面板３を３層構造としたものを、ボルト・ねじ４で一体的に結着すると共に、該ボルト・ねじ４を外してデザインシート２を交換し得るように備え、【００１６】該デザインパネルＡの台板１を、ポスト５の前面板６に着脱自在に取付けて、ポスト５の前面を、透明な表面板３を透過して見えるデザインシート２の写真、印刷物、若しくは、手書き文字・絵画等でデザインするように備えた、ポスト用のデザインパネルである。
なお、符号９はポスト５の上面に取付けた開閉蓋である。
【産業上の利用可能性】
【００１７】本考案デザインパネルは、広く一般的に使用されている如何様な構造、形状、色彩、素材のポストに対しても、その前面板に着脱自在に取付け使用できるので、極めて汎用性に優れる。
また、デザインパネル及びデザインシートの形状、寸法、色彩等は全く任意であり、よって、個人、事業所等のポストに使用すると共に、企業等のコマーシャル用等にも利用し得る。
【符号の説明】
【００１８】Ａ  実施例デザインパネル
１  台板
２  デザインシート
３  表面板
４  ボルト・ねじ
５  従来例ポスト
６  前面板
７  ねじ
８  取付具
９  開閉蓋
【図１】
0003200444.tif 000003
【図２】
0003200444.tif 000004
【図３】
0003200444.tif 000005
【図４】
0003200444.tif 000006
【図５】
0003200444.tif 000007
【図６】
0003200444.tif 000008
【図７】
0003200444.tif 000009